(57)【特許請求の範囲】
【請求項１】
内部にデータを記憶するメモリを備えたタグとの間で電磁誘導により相互にデータ通信を行う非接触ＩＤリーダを、造営材に設けた断面矩形状の取付孔に取り付けるための非接触ＩＤリーダの取付構造において、
外形寸法が取付孔よりも小さい寸法に形成され、タグとの間で電磁誘導により相互にデータ通信を行うためのアンテナや回路部を収納したリーダ本体と、矩形板状であって取付孔よりも若干小さい寸法に形成され、リーダ本体の背面にリーダ本体との間隔を保持するための間隔保持部材を介してねじ止めされたリーダ取付板と、矩形板状であって少なくとも長手方向寸法が取付孔よりも大きい寸法に形成され、リーダ取付板に対して略平行で且つ各辺がリーダ取付板の各辺に対して略４５度の角度で交差するような状態でリーダ取付板の背面側に取り付けられるプレート取付板と、プレート取付板に設けた挿通孔に挿通されると共にリーダ取付板に設けたねじ孔に螺入されるプレート取付ねじとを備え、上記造営材は建物の外壁の内側に設けられた内壁であり、この内壁に設けた取付孔内にリーダ本体が挿入されており、上記間隔保持部材はリーダ本体をリーダ取付板と反対側に付勢するばね部材からなり、リーダ本体が外壁と当接し且つばね部材が撓められた状態でリーダ本体が取り付けられるようにばね部材の長さ寸法を設定し、リーダ本体と共に造営材の一側から取付孔内に挿入されて造営材の反対側に配置されたリーダ取付板と、リーダ取付板を造営材の反対側に配置した状態で各辺が取付孔の端面と略平行になるように略４５度回転されたプレート取付板との間で造営材を挟持することを特徴とする非接触ＩＤリーダの取付構造。
【請求項２】
プレート取付ねじとして長さの異なるものを複数種類用意し、何れかのねじを選択して使用することを特徴とする請求項１記載の非接触ＩＤリーダの取付構造。
【請求項３】
リーダ本体とリーダ取付板とを結合するリーダ取付ねじとプレート取付ねじのねじ径及びピッチが同じであることを特徴とする請求項１又は２の何れか１項に記載の非接触ＩＤリーダの取付構造。
【請求項４】
リーダ取付板におけるプレート取付板側の面に、プレート取付板の各辺が取付孔の端面と略平行になるようにプレート取付板を回転させた状態で、取付孔の端面と係止する係止部を設けたことを特徴とする請求項１乃至３の何れか１項に記載の非接触ＩＤリーダの取付構造。
【請求項５】
前記係止部は、リーダ取付板に設けたねじ孔に取り付けたねじ部材であることを特徴とする請求項４記載の非接触ＩＤリーダの取付構造。
【請求項６】
前記係止部は、リーダ取付板の中心に対して対角の位置に２個設けられたことを特徴とする請求項４記載の非接触ＩＤリーダの取付構造。
【請求項７】
前記係止部は、リーダ取付板の２本の対角線上に、リーダ取付板の中心に対して対角の位置に２個づつ設けられたことを特徴とする請求項４記載の非接触ＩＤリーダの取付構造。
【請求項８】
リーダ取付板におけるプレート取付板側の面に、プレート取付板の各辺が取付孔の端面と略平行になるようにプレート取付板を回転させた状態で取付孔の端面と当接する段部を設け、該段部により前記係止部を構成したことを特徴とする請求項４記載の非接触ＩＤリーダの取付構造。
【請求項９】
リーダ本体とリーダ取付板とを結合するリーダ取付ねじのねじ部先端を、リーダ取付板に設けたねじ孔の途中で止めたことを特徴とする請求項１乃至８の何れか１項に記載の非接触ＩＤリーダの取付構造。
【請求項１０】
リーダ本体及びリーダ取付板を造営面の反対側に配置した状態で、造営面の反対側に予め配線されたケーブルをリーダ本体に接続する結線作業を行うための開口孔をリーダ取付板に設けたことを特徴とする請求項１乃至９の何れか１項に記載の非接触ＩＤリーダの取付構造。
【請求項１１】
造営面の反対側から引き出されたケーブルを通すためのケーブル挿通部をリーダ本体に設けたことを特徴とする請求項１乃至９の何れか１項に記載の非接触ＩＤリーダの取付構造。
【請求項１２】
プレート取付板の背面側にねじ固定される矩形枠状のプレート枠と、プレート枠に嵌合固定される化粧プレートとを備えて成ることを特徴とする請求項１乃至１１の何れか１項に記載の非接触ＩＤリーダの取付構造。
【請求項１３】
上記造営材は建物の外壁の内側に設けられた内壁であり、建物の出入口付近の内壁に設けた取付孔内にリーダ本体が挿入され、内壁と外壁との間の空間に取り付けられることを特徴とする請求項１乃至１２の何れか１項に記載の非接触ＩＤリーダの取付構造。
【請求項１４】
請求項１記載の非接触ＩＤリーダを造営材から取り外す取り外し方法において、先ずプレート取付ねじを緩めて、プレート取付板とリーダ取付板との間の距離を造営材の厚み寸法よりも長くした状態で、プレート取付板を略４５度回転させて、リーダ取付板の各辺を取付孔の端面と略平行にした後、プレート取付板を造営材から離れる方向に移動させて、リーダ本体及びリーダ取付板を取付孔から取り出すことを特徴とする非接触ＩＤリーダの取り外し方法。
【請求項１５】
請求項１記載の非接触ＩＤリーダを造営材に取り付ける取付方法において、リーダ本体に設けた貫通孔に挿通されたリーダ取付ねじにばね部材を通し、リーダ取付板に設けたねじ孔に螺入することにより、リーダ本体をリーダ取付板にねじ止めすると共に、プレート取付板をプレート取付ねじを用いてリーダ取付板にねじ止めし、ばね部材によってリーダ本体をリーダ取付板と反対側に付勢し、リーダ取付板とプレート取付板との間の間隔を造営材の厚み寸法よりも長くした状態で、リーダ取付板の各辺を取付孔の端面と略平行にして、リーダ本体とリーダ取付板とを造営材の一側から取付孔内に挿入し、リーダ本体とリーダ取付板とを造営材の反対側に配置した後、プレート取付板を略４５度回転させて、プレート取付板の各辺を取付孔の端面と略平行に配置し、プレート取付ねじをねじ込んでプレート取付板とリーダ取付板との間で造営材を挟持することにより、リーダ本体を造営材に取り付けることを特徴とする非接触ＩＤリーダの取付方法。
【請求項１６】
請求項１０記載の非接触ＩＤリーダを造営材に取り付ける取付方法において、先ずリーダ本体にリーダ取付板を取り付け、リーダ取付板の各辺を取付孔の端面と略平行にして、リーダ本体とリーダ取付板とを造営材の一側から取付孔内に挿入し、リーダ本体とリーダ取付板とを造営材の反対側に配置した状態で、造営面の反対側に予め配線されたケーブルをリーダ本体に接続する結線作業を開口孔を通して行った後、リーダ取付板にプレート取付板を取り付け、プレート取付板を略４５度回転させて、プレート取付板の各辺を取付孔の端面と略平行に配置し、プレート取付ねじをねじ込んでプレート取付板とリーダ取付板との間で造営材を挟持することにより、リーダ本体を造営材に取り付けることを特徴とする非接触ＩＤリーダの取付方法。
【請求項１７】
請求項１１記載の非接触ＩＤリーダを造営材に取り付ける取付方法において、先ずリーダ本体にリーダ取付板とプレート取付板とを取り付け、リーダ取付板とプレート取付板との間の間隔を造営材の厚み寸法よりも長くし、造営面の反対側から取付孔を通して引き出されたケーブルをリーダ本体に結線し、このケーブルをリーダ本体のケーブル挿通部に通した状態で、リーダ取付板の各辺を取付孔の端面と略平行にして、リーダ本体とリーダ取付板とを造営材の一側から取付孔内に挿入し、リーダ本体とリーダ取付板とを造営材の反対側に配置した後、プレート取付板を略４５度回転させて、プレート取付板の各辺を取付孔の端面と略平行に配置し、プレート取付ねじをねじ込んでプレート取付板とリーダ取付板との間で造営材を挟持することにより、リーダ本体を造営材に取り付けることを特徴とする非接触ＩＤリーダの取付方法。
【請求項１８】
請求項１１記載の非接触ＩＤリーダの製造方法であって、リーダ本体にケーブル挿通部を形成し、ケーブル挿通部の形成されたリーダ本体の部位をカバーで覆った後、リーダ本体の内部に封止樹脂を充填して、リーダ本体内部に配置されたアンテナと回路部とを封止樹脂で封止した後、カバーを取り外して成ることを特徴とする非接触ＩＤリーダの製造方法。
【請求項１９】
請求項１記載の非接触ＩＤリーダと、出入口のドアに設けられた電気錠と、非接触ＩＤリーダがタグから受信した情報に基づいて電気錠の施錠／開錠を制御する電気錠制御部とを備えて成ることを特徴とする電気錠システム。
【発明の詳細な説明】
【０００１】
【発明の属する技術分野】
本発明は、非接触ＩＤリーダの取付構造及びその取付方法、取り外し方法、製造方法及び電気錠システムに関するものである。
【０００２】
【従来の技術】
従来より、データを記憶するメモリが内部に設けられたタグ（データキャリア）、及び、タグとの間で電磁誘導により相互にデータ通信を行う非接触ＩＤリーダから構成される非接触ＩＤシステムを用いて入退室を管理する入退室管理システムが提供されていた。このようなシステムでは、建物の出入口付近の外壁にリーダを設置しておき、この建物に出入りする人がタグをリーダに近づけると、タグとリーダとの間で非接触でデータ通信が行われ、タグに記憶されたＩＤデータがリーダによって読み取られる。そして、リーダの読み取ったＩＤデータを、入退室管理システムのコンピュータ又はリーダが処理して、予め登録されたデータに一致すると、出入口を開けるようにしていた（例えば特開平９−４１７４４号公報参照）。
【０００３】
ところで、非接触ＩＤリーダを建物に取り付ける取付構造としては、例えば図４５及び図４６に示すように、建物の出入口付近の外壁４２に埋設された埋込ボックス４４に取付枠４５を用いてリーダ１’を取り付けると共に、取付枠４５の前面にプレート枠４６を介して化粧プレート４７を取り付けて、化粧プレート４７の開口４７ａからリーダ１’の前面を露出させたり、図４７（ａ）（ｂ）に示すように建物の出入口付近の外壁４２にリーダ１’を直接ねじ止めしたりしていた。
【０００４】
【発明が解決しようとする課題】
上述した非接触ＩＤリーダの取付構造では、建物の外壁４２の外側面にリーダ１’を設置しているが、一戸建ての住宅や集合住宅や商業ビルディングなど建物の種類によって建物の構造や外観が異なり、また施主の意向や施工手順の関係などによって、建物の外側に面した外壁４２の表面にリーダ１’を設置できない場合があった。また、建物の内壁と外壁との間にリーダ１’を埋め込んで使用する場合、リーダ１’を埋め込む際に外側の壁面から工事できない場合があり、このような場合には建物の建築中に外壁と内壁との間にリーダ１’を埋め込むか、又は建築後に内壁の工事を行ってリーダ１’を埋め込むことが考えられる。しかしながら、従来の取付構造では建物の外壁にリーダ１’を取り付けるのが一般的であったため、内壁側からリーダ１’を取り付けることができなかった。
【０００５】
本発明は上記問題点に鑑みて為されたものであり、その目的とするところは、建物の内側の壁にリーダを容易に取り付けることのできる非接触ＩＤリーダの取付構造及びその取付方法、取り外し方法、製造方法及び電気錠システムを提供することにある。
【０００６】
【課題を解決するための手段】
上記目的を達成するために、請求項１の発明では、内部にデータを記憶するメモリを備えたタグとの間で電磁誘導により相互にデータ通信を行う非接触ＩＤリーダを、造営材に設けた断面矩形状の取付孔に取り付けるための非接触ＩＤリーダの取付構造において、外形寸法が取付孔よりも小さい寸法に形成され、タグとの間で電磁誘導により相互にデータ通信を行うためのアンテナや回路部を収納したリーダ本体と、矩形板状であって取付孔よりも若干小さい寸法に形成され、リーダ本体の背面にリーダ本体との間隔を保持するための間隔保持部材を介してねじ止めされたリーダ取付板と、矩形板状であって少なくとも長手方向寸法が取付孔よりも大きい寸法に形成され、リーダ取付板に対して略平行で且つ各辺がリーダ取付板の各辺に対して略４５度の角度で交差するような状態でリーダ取付板の背面側に取り付けられるプレート取付板と、プレート取付板に設けた挿通孔に挿通されると共にリーダ取付板に設けたねじ孔に螺入されるプレート取付ねじとを備え、上記造営材は建物の外壁の内側に設けられた内壁であり、この内壁に設けた取付孔内にリーダ本体が挿入されており、上記間隔保持部材はリーダ本体をリーダ取付板と反対側に付勢するばね部材からなり、リーダ本体が外壁と当接し且つばね部材が撓められた状態でリーダ本体が取り付けられるようにばね部材の長さ寸法を設定し、リーダ本体と共に造営材の一側から取付孔内に挿入されて造営材の反対側に配置されたリーダ取付板と、リーダ取付板を造営材の反対側に配置した状態で各辺が取付孔の端面と略平行になるように略４５度回転されたプレート取付板との間で造営材を挟持することを特徴とし、建物の外壁と内壁との間に非接触ＩＤリーダを取り付ける場合でも、内壁に設けた取付孔に室内側からリーダ本体とリーダ取付板とを挿入して、リーダ本体とリーダ取付板とを内壁と外壁との間の空間に配置し、プレート取付板の各辺が取付孔の端面と略平行になるようにプレート取付板を略４５度回転させた状態で、プレート取付ねじのねじ込み量を調整すると、リーダ取付板とプレート取付板との間に内壁を挟持することにより、リーダ本体が内壁に取り付けられるから、外壁の工事を行うことなく、外壁と内壁との間の空間に室内側から非接触ＩＤリーダを取付可能で、外壁の美観を損なうことのない取付構造を実現できる。
【０００７】
さらに請求項１の発明では、リーダ本体は、ばね部材によってリーダ取付板と反対側に付勢され、ばね部材が撓められた状態で外壁と当接しており、ばね部材のばね力によって常に外壁に押し付けられた状態で取り付けられているから、取付状態が安定する。しかも、リーダ本体が外壁と接触しているので、外壁とリーダ本体との間隔を最小にでき、タグとリーダ本体との間で交信可能な外壁からの距離を長くとることができる。
【０００８】
請求項２の発明では、請求項１の発明において、プレート取付ねじとして長さの異なるものを複数種類用意し、何れかのねじを選択して使用することを特徴とし、造営材の厚み寸法に応じてプレート取付ねじの長さを適宜選択することにより、様々な厚みの造営材に対応することができる。
【０００９】
請求項３の発明では、請求項１又は２の発明において、リーダ本体とリーダ取付板とを結合するリーダ取付ねじとプレート取付ねじのねじ径及びピッチが同じであることを特徴とし、リーダ取付ねじとプレート取付ねじのねじ径及びピッチを共通化することによって、必要なねじの種類を削減できる。
【００１０】
請求項４の発明では、請求項１乃至３の何れかの発明において、リーダ取付板におけるプレート取付板側の面に、プレート取付板の各辺が取付孔の端面と略平行になるようにプレート取付板を回転させた状態で、取付孔の端面と係止する係止部を設けたことを特徴とし、係止部と取付孔の端面とを係止させることによって、リーダ取付板が造営材に対して傾いたり、倒れたりするのを防止でき、取付作業を容易に行える。
【００１１】
請求項５の発明では、請求項４の発明において、係止部は、リーダ取付板に設けたねじ孔に取り付けたねじ部材であることを特徴とし、リーダ取付板にねじ孔を設けるだけで良いから、リーダ取付板の構造を簡単にでき、リーダ取付板の製造コストを低減できる。
【００１２】
請求項６の発明では、請求項４の発明において、係止部は、リーダ取付板の中心に対して対角の位置に２個設けられたことを特徴とし、２個の係止部が取付孔の端面とそれぞれ係止することによってリーダ取付板の移動範囲が規制されるから、リーダ本体のがたつきを防止でき、リーダ本体の取付不良を防止できる。
【００１３】
請求項７の発明では、請求項４の発明において、係止部は、リーダ取付板の２本の対角線上に、リーダ取付板の中心に対して対角の位置に２個づつ設けられたことを特徴とし、リーダ本体及びリーダ取付板を取付孔内に挿入した状態で、プレート取付板を何れの方向に略４５度回転させたとしても、２個の係止部を取付孔の上下の端面と係止させることができるから、施工作業を容易に行える。
【００１４】
請求項８の発明では、請求項４の発明において、リーダ取付板におけるプレート取付板側の面に、プレート取付板の各辺が取付孔の端面と略平行になるようにプレート取付板を回転させた状態で取付孔の端面と当接する段部を設け、該段部により係止部を構成したことを特徴とし、プレート取付板に設けた段部と取付孔の端面とを係止させることによって、リーダ取付板が造営材に対して傾いたり、倒れたりするのを防止でき、取付作業を容易に行える。しかも、リーダ取付板に設けた段部により係止部を構成しているので、リーダ取付板に別途の部材を組み込む必要がなく、リーダ取付板と係止部とを１つの部材で構成することができる。
【００１５】
請求項９の発明では、請求項１乃至８の何れかの発明において、リーダ本体とリーダ取付板とを結合するリーダ取付ねじのねじ部先端を、リーダ取付板に設けたねじ孔の途中で止めたことを特徴とし、リーダ取付板におけるリーダ本体と反対側の面から、リーダ取付ねじのねじ部先端が突出していないので、造営材の表面とリーダ取付板とが面接触し、リーダ取付板とプレート取付板との間で造営材を挟持する際に造営材に加わる応力を分散させることができるから、造営材に長時間応力が加わることによって造営材が変形するのを防止できる。
【００１６】
請求項１０の発明では、請求項１乃至９の何れかの発明において、リーダ本体及びリーダ取付板を造営面の反対側に配置した状態で、造営面の反対側に予め配線されたケーブルをリーダ本体に接続する結線作業を行うための開口孔をリーダ取付板に設けたことを特徴とし、リーダ本体とリーダ取付板とを造営面の反対側に配置した状態で、開口孔を通してケーブルをケーブル本体に接続することができ、ケーブルを結線していない状態でリーダ本体やリーダ取付板の施工作業が行えるから、ケーブルが施工作業の邪魔にならず、施工作業を容易にした非接触ＩＤリーダの取付構造を実現できる。
【００１７】
請求項１１の発明では、請求項１乃至９の何れかの発明において、造営面の反対側から引き出されたケーブルを通すためのケーブル挿通部をリーダ本体に設けたことを特徴とし、取付孔を介して引き出されたケーブルをリーダ本体に接続し、このケーブルをケーブル挿通部に通した状態で、リーダ本体やリーダ取付板を取付孔内に挿入して施工作業を行うことができるから、取付孔の端面とリーダ本体との間の隙間が狭い場合でも容易に施工作業が行える非接触ＩＤリーダの取付構造を実現できる。
【００１８】
請求項１２の発明では、請求項１乃至１１の何れかの発明において、プレート取付板の背面側にねじ固定される矩形枠状のプレート枠と、プレート枠に嵌合固定される化粧プレートとを備えて成ることを特徴とし、プレート取付板の背面側にプレート枠を介して化粧プレートを取り付けることができるから、室内のインテリアに合わせたデザインの化粧プレートを取り付けることにより、室内の美観を高めることができる。
【００１９】
請求項１３の発明では、請求項１乃至１２の何れかの発明において、上記造営材は建物の外壁の内側に設けられた内壁であり、建物の出入口付近の内壁に設けた取付孔内にリーダ本体が挿入され、内壁と外壁との間の空間に取り付けられることを特徴とし、請求項１乃至１２の発明と同様、外壁の工事を行うことなく、外壁と内壁との間の空間に室内側から非接触ＩＤリーダを取り付けることができるから、外壁の美観を保つことができ、且つ、リーダ本体は外壁の裏側に配置されているから、リーダ本体が破壊されるなどのいたずらを防止でき、また部外者にはリーダ本体の存在が分からないため、防犯上の安全性が高い。
【００２０】
請求項１４の発明では、請求項１記載の非接触ＩＤリーダを造営材から取り外す取り外し方法において、先ずプレート取付ねじを緩めて、プレート取付板とリーダ取付板との間の距離を造営材の厚み寸法よりも長くした状態で、プレート取付板を略４５度回転させて、リーダ取付板の各辺を取付孔の端面と略平行にした後、プレート取付板を造営材から離れる方向に移動させて、リーダ本体及びリーダ取付板を取付孔から取り出すことを特徴とし、プレート取付ねじを緩めることによって、プレート取付板とリーダ取付板との間で造営材を挟持する状態を容易に解除することができ、その後プレート取付板を回転させて、造営材から離れる方向に移動させることにより、リーダ本体とリーダ取付板とを造営材から容易に取り外すことができ、リーダ本体の修理や解体などのメンテナンス作業を容易に行うことができる。
【００２１】
請求項１５の発明では、請求項１記載の非接触ＩＤリーダを造営材に取り付ける取付方法において、リーダ本体に設けた貫通孔に挿通されたリーダ取付ねじにばね部材を通し、リーダ取付板に設けたねじ孔に螺入することにより、リーダ本体をリーダ取付板にねじ止めすると共に、プレート取付板をプレート取付ねじを用いてリーダ取付板にねじ止めし、ばね部材によってリーダ本体をリーダ取付板と反対側に付勢し、リーダ取付板とプレート取付板との間の間隔を造営材の厚み寸法よりも長くした状態で、リーダ取付板の各辺を取付孔の端面と略平行にして、リーダ本体とリーダ取付板とを造営材の一側から取付孔内に挿入し、リーダ本体とリーダ取付板とを造営材の反対側に配置した後、プレート取付板を略４５度回転させて、プレート取付板の各辺を取付孔の端面と略平行に配置し、プレート取付ねじをねじ込んでプレート取付板とリーダ取付板との間で造営材を挟持することにより、リーダ本体を造営材に取り付けることを特徴とし、リーダ本体は、ばね部材によってリーダ取付板と反対側に付勢され、ばね部材が撓められた状態で外壁と当接しており、ばね部材のばね力によって常に外壁に押し付けられた状態で取り付けられているから、リーダ本体及びリーダ取付板が外壁と内壁との間に仮保持され、取付作業を容易に行うことができる。
【００２２】
請求項１６の発明では、請求項１０記載の非接触ＩＤリーダを造営材に取り付ける取付方法において、先ずリーダ本体にリーダ取付板を取り付け、リーダ取付板の各辺を取付孔の端面と略平行にして、リーダ本体とリーダ取付板とを造営材の一側から取付孔内に挿入し、リーダ本体とリーダ取付板とを造営材の反対側に配置した状態で、造営面の反対側に予め配線されたケーブルをリーダ本体に接続する結線作業を開口孔を通して行った後、リーダ取付板にプレート取付板を取り付け、プレート取付板を略４５度回転させて、プレート取付板の各辺を取付孔の端面と略平行に配置し、プレート取付ねじをねじ込んでプレート取付板とリーダ取付板との間で造営材を挟持することにより、リーダ本体を造営材に取り付けることを特徴とし、リーダ本体とリーダ取付板とを造営面の反対側に配置した状態で、開口孔を通してケーブルをケーブル本体に接続することができ、ケーブルを結線していない状態でリーダ本体やリーダ取付板の施工作業が行えるから、ケーブルが作業の邪魔にならず、施工作業を容易に行うことができる。
【００２３】
請求項１７の発明では、請求項１１記載の非接触ＩＤリーダを造営材に取り付ける取付方法において、先ずリーダ本体にリーダ取付板とプレート取付板とを取り付け、リーダ取付板とプレート取付板との間の間隔を造営材の厚み寸法よりも長くし、造営面の反対側から取付孔を通して引き出されたケーブルをリーダ本体に結線し、このケーブルをリーダ本体のケーブル挿通部に通した状態で、リーダ取付板の各辺を取付孔の端面と略平行にして、リーダ本体とリーダ取付板とを造営材の一側から取付孔内に挿入し、リーダ本体とリーダ取付板とを造営材の反対側に配置した後、プレート取付板を略４５度回転させて、プレート取付板の各辺を取付孔の端面と略平行に配置し、プレート取付ねじをねじ込んでプレート取付板とリーダ取付板との間で造営材を挟持することにより、リーダ本体を造営材に取り付けることを特徴とし、取付孔を介して引き出されたケーブルをリーダ本体に接続し、このケーブルをケーブル挿通部に通した状態で、リーダ本体やリーダ取付板を取付孔内に挿入して施工作業を行うことができるから、取付孔の端面とリーダ本体との間の隙間が狭い場合でも施工作業を容易に行うことができる。
【００２４】
請求項１８の発明では、請求項１１記載の非接触ＩＤリーダの製造方法であって、リーダ本体にケーブル挿通部を形成し、ケーブル挿通部の形成されたリーダ本体の部位をカバーで覆った後、リーダ本体の内部に封止樹脂を充填して、リーダ本体内部に配置されたアンテナと回路部とを封止樹脂で封止した後、カバーを取り外して成ることを特徴とし、リーダ本体に設けたケーブル挿通部には封止樹脂が回り込まないようにする必要があるが、ケーブル挿通部の形成されたリーダ本体の部位をカバーで覆った状態で封止樹脂を充填することによって、ケーブル挿通部に封止樹脂が回り込むのを防止でき、必要な部位のみに封止樹脂を充填することができる。
【００２５】
請求項１９の発明では、請求項１記載の非接触ＩＤリーダと、出入口のドアに設けられた電気錠と、非接触ＩＤリーダがタグから受信した情報に基づいて電気錠の施錠／開錠を制御する電気錠制御部とを備えて成ることを特徴とし、請求項１記載の非接触ＩＤリーダを用いて、出入口のドアに設けられた電気錠を電気錠制御部により施錠／解錠する電気錠システムを実現することができる。
【００２６】
【発明の実施の形態】
本発明の実施の形態を図面を参照して説明する。
【００２７】
（基本構成）
本発明の基本構成を図１乃至図１１を参照して説明する。以下に説明する取付構造は、造営材たる内壁４０と外壁４２とで構成される建物の壁内に非接触ＩＤリーダ１を取り付けるための取付構造である。図３は非接触ＩＤリーダ１の正面図を示しており、この非接触ＩＤリーダ１は、内部にデータを記憶するメモリを備えたタグ５０との間で電磁誘導により相互にデータ通信を行うアンテナ部や回路部を収納し、樹脂を充填することにより箱状に形成されたリーダ本体２を備えており、リーダ本体２の前面には前面が円形状に形成された突台部３が突設されている。また、リーダ本体２の四隅には内側に凹んだ凹所４が設けられており、各凹所４の底面にはリーダ本体２を貫通する貫通孔５が設けられている。尚、リーダ本体２の外形寸法は、内壁４０に穿設した断面正方形状の取付孔４１よりも若干小さい寸法に形成されている。
【００２８】
リーダ本体２の背面には、図１及び図２に示すように、前面が正方形状であって取付孔４１よりも若干小さい寸法に形成された金属板からなるリーダ取付板６が所定の間隔をおいて取り付けられる。リーダ本体２の貫通孔５に対応するリーダ取付板６の部位にはリーダ取付ねじ７を挿通するねじ挿通孔８が形成されており、リーダ取付板６の背面側からねじ挿通孔８に挿通したリーダ取付ねじ７を筒状のスペーサ９に通し、リーダ取付ねじ７の先端をリーダ本体２の貫通孔５に背面側から挿入して、リーダ本体２の前面側に突出したリーダ取付ねじ７をナット１０にねじ込むことにより、リーダ取付板６とリーダ本体２とが結合される。
【００２９】
またリーダ取付板６の背面には、前面が正方形状であって取付孔４１よりも大きい寸法に形成された金属板からなるプレート取付板１１が、リーダ取付板６に対して略平行で且つ対角線がリーダ取付板６の対角線と略４５度の角度で交差するようにして取り付けられる（図５参照）。ここで、リーダ取付板６の隣接する２辺には、この２辺が交差する角から略等しい距離にねじ孔１２が２個形成されている。またリーダ取付板６の他の２辺にも、この２辺が交差する角から略等しい距離にねじ孔１２が２個形成されている。一方、図６（ａ）（ｂ）に示すように、プレート取付板１１の互いに対向する２辺には、リーダ取付板６に設けたねじ孔１２に対応する部位にねじ挿通孔１３が穿設されており、ねじ挿通孔１３に挿通したプレート取付ねじ１４をリーダ取付板６のねじ孔１２にねじ込むことにより、プレート取付板１１がリーダ取付板６の背面側に取り付けられる。ここで、プレート取付ねじ１４のねじ込み量を調整すると、リーダ取付板６とプレート取付板１１との間の間隔が変化するので、リーダ取付板６のねじ挿通孔８に挿通されたリーダ取付ねじ７のねじ頭とプレート取付板１１との間で内壁４０を挟持することによって、リーダ本体２が内壁４０に固定される。
【００３０】
ところで、プレート取付板１１の対向２辺には、ねじ挿通孔１３が一対づつ設けられているのであるが、プレート取付板１１におけるねじ挿通孔１３に対して外側の部位には、端面にねじ溝が形成されたねじ孔１５がそれぞれ設けられている。ここで、プレート取付板１１の室内側には四角枠状のプレート枠１６が取り付けられ、プレート枠１６の室内側には例えばプレート枠１６に設けた孔（図示せず）と化粧プレート１８の背面に設けた突起（図示せず）とを嵌合させることにより化粧プレート１８が嵌合固定される。プレート枠１６は、図７に示すように中央に窓孔１６ｃが形成された主部１６ａと、主部１６ａの周縁部から背面側に向かって連続一体に垂下された側部１６ｂとで構成され、主部１６ａの上下辺におけるプレート取付板１１のねじ孔１５に対応する部位にはねじ挿通孔が２個づつ形成されており、各ねじ挿通孔に挿通したプレート固定ねじ１７をプレート取付板１１のねじ孔１５にねじ込むことにより、プレート枠１６がプレート取付板１１に固定されるのである。このように、プレート取付板１１の背面側（室内側）にプレート枠１６を介して化粧プレート１８を取り付けることができるから、室内のインテリアに合わせたデザインの化粧プレート１８を取り付けることにより、室内の美観を高めることができる。
【００３１】
以下に、非接触ＩＤリーダ１を内壁４０に取り付ける取付方法について図４及び図１１を参照して説明する。先ず内壁４０に、リーダ本体２及びリーダ取付板６の外形寸法よりも大きく、且つ、プレート取付板１１の外形寸法よりも小さい断面略正方形の取付孔４１を穿孔して、内壁４０の裏側（すなわち内壁４０と外壁４２との間の空間）からケーブル３０を室内側に引き出す（図４（ａ）参照）。
【００３２】
次に、リーダ本体２にリーダ取付板６及びプレート取付板１１を取り付けた状態でリーダ本体２にケーブル３０を接続する。そして、プレート取付ねじ１４を緩めてリーダ取付板６とプレート取付板１１の間の距離を内壁４０の厚み寸法よりも長くし、リーダ取付板６の各辺を取付孔４１の端面と略平行にした状態で、内壁４０の取付孔４１に室内側からリーダ本体２を挿入し（図４（ｂ）参照）、リーダ本体２とリーダ取付板６とを内壁４０の裏側（すなわち内壁４０と外壁４２の間の空間）に配置する（図４（ｃ）及び図１１（ａ）参照）。
【００３３】
その後、プレート取付板１１の各辺が取付孔４１の端面と略平行になるよう、プレート取付板１１を図１１（ａ）中右回りに略４５度回転させると、プレート取付板１１のねじ挿通孔１３に挿通されたプレート取付ねじ１４が上下に並び、リーダ取付板６の角部が取付孔４１の投影面から外側に突出する（図１１（ｂ）参照）。この状態で、プレート取付ねじ１４を締め付けると、リーダ取付板６とプレート取付板１１との間の距離が短くなって、リーダ本体２とリーダ取付板６とを結合するリーダ取付ねじ７のねじ頭とプレート取付板１１との間に内壁４０が挟持され、リーダ本体２が内壁４０に固定され、リーダ本体２の前面は外壁４２の裏面に取り付けられた断熱材４３と対向配置される（図４（ｄ）参照）。そして、リーダ本体２を固定した後、プレート取付板１１における室内側の面にプレート枠１６を介して化粧プレート１８が取り付けられる（図４（ｅ）参照）。ここで、リーダ本体２の前面から外壁４２までの距離をＬ２とすると、非接触ＩＤリーダ１の交信距離Ｌ１から距離Ｌ２を引いた距離Ｌ３（＝Ｌ１−Ｌ２）が見かけ上の交信距離になる。尚、本取付構造ではプレート取付板１１を略４５度回転させているので、取付孔４１の投影面から外側に突出するリーダ取付板６の部位を大きくすることができ、リーダ取付板６とプレート取付板１１との間で内壁４０を強固に挟持することができる。
【００３４】
一方、非接触ＩＤリーダ１を内壁４０から取り外す際は上述と逆の手順により取り外される。すなわち、プレート枠１６と化粧プレート１８とを取り外した後、プレート取付ねじ１４を緩めると、リーダ取付板６とプレート取付板１１との間の距離が内壁４０の厚み寸法よりも長くなって、内壁４０の挟持状態が解除される。この状態でプレート取付板１１を４５度回転させて、リーダ取付板６の各辺を取付孔４１の端面と略平行にして、リーダ本体２及びリーダ取付板６の向きを取付孔４１の向きに合わせた後、プレート取付板１１を内壁４０から離れる向きに引っ張ると、リーダ本体２及びリーダ取付板６が内壁４０から室内側に引き出される。
【００３５】
このように、本取付構造では、建物の外壁４２と内壁４０との間に非接触ＩＤリーダ１を取り付ける場合でも、内壁４０に設けた取付孔４１に室内側からリーダ本体２とリーダ取付板６とを挿入して、リーダ本体２とリーダ取付板６とを内壁４０と外壁４２との間の空間に配置し、プレート取付板１１の各辺が取付孔４１の端面と略平行になるようにプレート取付板１１を略４５度回転させた状態で、プレート取付ねじ１４のねじ込み量を調整すると、リーダ取付板６とプレート取付板１１との間に内壁４０を挟持することにより、リーダ本体２が内壁４０に取り付けられるから、外壁４２の工事を行うことなく、外壁４２と内壁４０との間の空間に室内側から非接触ＩＤリーダ１を迅速且つ確実に取り付けることができ、外壁４２の美観を損なうことがない。また、リーダ本体２は外壁４２の裏側に配置されているから、リーダ本体２が破壊されるなどのいたずらを防止でき、また部外者にはリーダ本体２の存在が分からないため、防犯上の安全性が高い。また、取付方法と逆の手順で非接触ＩＤリーダ１の取り外し作業を行うことができるから、外壁４２と内壁４０の間の空間に取り付けられたリーダ本体２を室内側から容易に取り外すことができ、リーダ本体２の修理や解体などのメンテナンス作業を容易に行える。
【００３６】
尚、リーダ取付ねじ７及びスペーサ９の長さ寸法は内壁４０と外壁４２との間の壁内間隔Ｌ４に応じて適宜設定すれば良く、リーダ取付ねじ７及びスペーサ９として長さの異なるものを複数種類用意しておき、所望の長さのリーダ取付ねじ７及びスペーサ９を選択して使用することにより、内壁４０の裏面からリーダ本体２の前面までの距離を調整することができる。したがって、外壁４２と内壁４０との間に非接触ＩＤリーダ１を取り付ける場合は、外壁４２と内壁４０との間の壁内間隔Ｌ４に応じてリーダ取付ねじ７及びスペーサ９の長さを適宜選択することにより、外壁４２からリーダ本体２までの距離が調整され、タグ５０とリーダ本体２との間で交信可能な外壁４２からタグ５０までの距離を調整できる。例えば図８に示すように内壁４０と外壁４２との間の壁内間隔Ｌ４が広い場合は、リーダ１とタグ５０との間の見かけ上の交信距離Ｌ３が所定の距離以上になるように、図１に示すリーダ取付ねじ７及びスペーサ９に比べて長さの長いものを選択すれば良い。
【００３７】
また、プレート取付ねじ１４の長さ寸法は内壁４０の厚み寸法に応じて適宜設定すれば良く、プレート取付ねじ１４として長さの異なるものを複数種類用意しておき、内壁４０の厚み寸法に応じて所望の長さのねじを選択することにより、様々な厚みの造営材に対応できる。例えば図９に示すように内壁４０の厚みが薄い場合は長さの短いプレート取付ねじ１４を選択し、図１０に示すように内壁４０の厚みが厚い場合はプレート取付ねじ１４の長さを長くすれば良い。
【００３８】
なお、リーダ取付ねじ７及びプレート取付ねじ１４には、ねじ径及びピッチの同じねじを用いており、ねじ径及びピッチが同じで長さの異なるねじを複数種類用意することによって、内壁４０の厚み寸法や内壁４０と外壁４２との間の壁内間隔Ｌ４が異なる場合にも容易に対応することができ、またねじ径及びピッチを共通化することによって、必要なねじの種類を削減できる。
【００３９】
（参考例）
本発明の参考例を図１３乃至図１９を参照して説明する。本取付構造では、図１３及び図１４（ａ）（ｂ）に示すように、リーダ取付板６及びプレート取付板１１の取り付けられたリーダ本体２を内壁４０の取付孔４１内に挿入して、リーダ本体２とリーダ取付板６とを内壁４０の裏側に配置し、プレート取付板１１を４５度だけ回転させた状態で、取付孔４１の下側縁と係止する係止部たる係止片１９をリーダ取付板６の一部を切り起こすことにより形成している。尚、係止片１９以外の構成は基本構成で説明した取付構造と同様であるので、同一の構成要素には同一の符号を付して、その説明を省略する。
【００４０】
ところで、基本構成で説明した非接触ＩＤリーダ１の取付構造では、図１２に示すようにリーダ取付板６及びプレート取付板１１の取り付けられたリーダ本体２を内壁４０の取付孔４１内に挿入して、リーダ本体２とリーダ取付板６とを内壁４０の裏側に配置してから、プレート取付ねじ１４を締め付けて、リーダ本体２の固定作業が終了するまでの間に、リーダ本体２やリーダ取付板６が重みによって下側に移動し、プレート取付板１１と内壁４０との係止が外れて、リーダ本体２やリーダ取付板６が内壁４０の取付孔４１から脱落する虞があり、またプレート取付ねじ１４を締め付けてリーダ本体２を固定する際にリーダ本体２が下側にずれたり傾いた状態で固定される虞があるため、プレート取付板１１を支えながら、プレート取付ねじ１４のねじ締め作業を行う必要がある。
【００４１】
それに対して、本取付構造ではリーダ取付板６の係止片１９と取付孔４１の端縁とが係止することによって、リーダ本体２やリーダ取付板６の位置が下側にずれることがないから、プレート取付ねじ１４を締め付けてリーダ本体２の固定作業が終了するまでの間に、リーダ本体２やリーダ取付板６が重みによって下側に移動し、プレート取付板１１と内壁４０との係止が外れて、リーダ本体２やリーダ取付板６が内壁４０の取付孔４１から脱落したりすることがなく、またリーダ本体２が下側にずれたり傾いた状態で固定されるのを防止でき、リーダ本体２の取付作業を容易に行える。
【００４２】
尚、本取付構造ではリーダ取付板６の一部を切り起こして形成した係止片１９から係止部を構成しているが、係止片１９を形成する代わりに、図１５（ａ）（ｂ）に示すようにリーダ取付板６にねじ孔を形成し、このねじ孔に取り付けたねじ２０により係止部を構成しても良く、ねじ２０のねじ部を取付孔４１の下側の端縁と係止させることによって、上述と同様の効果が得られる。また、リーダ取付板６にねじ孔を形成するだけでよいので、リーダ取付板６の一部を切り起こして係止片１９を形成する場合に比べて、リーダ取付板６の構造を簡単にでき、リーダ取付板６の製造コストを低減できる。
【００４３】
また、図１５（ａ）（ｂ）に示すリーダ取付板６では、取付孔４１の下側の端面に対応する部位にねじ２０を１個だけ取り付けているが、取付孔４１の上下の端面に対応する部位にねじ２０を２個取り付けても良い。すなわち、図１６（ａ）（ｂ）に示すように、リーダ取付板６における取付孔４１の上下の端面に対応し、且つリーダ取付板６の中心に対して対角の位置に一対のねじ孔を形成し、各ねじ孔にねじ２０を取り付けても良い。ここで、一対のねじ２０の間隔は取付孔４１の上下の幅寸法よりも若干小さい寸法に形成されているので、リーダ取付板６及びプレート取付板１１の取り付けられたリーダ本体２を内壁４０の取付孔４１内に挿入して、リーダ本体２とリーダ取付板６とを内壁４０の裏側に配置し、プレート取付板１１を４５度だけ回転させると、各ねじ２０が取付孔４１の上下の端面と係止するため、リーダ本体２やリーダ取付板６が重みによって倒れたり、傾くことがなく、また一対のねじ２０によって上下方向におけるリーダ取付板６の移動範囲が規制されるので、がたつきを防止することもできる。
【００４４】
また更に、図１６（ａ）（ｂ）に示すリーダ取付板６では、取付孔４１の上下の端面に対応する部位に一対のねじ２０を取り付けているが、取付孔４１の上下及び左右の端面に対応する部位に各一対のねじ２０を取り付けても良い。すなわち、図１８（ａ）（ｂ）に示すように、リーダ取付板６の２本の対角線上に、リーダ取付板６の中心に対して対角の位置にねじ孔を２個づつ形成すると共に、各２個のねじ孔にねじ２０を取り付けても良い。ここで、各２個のねじ２０の間隔は取付孔４１の上下又は左右の幅寸法よりも若干小さい寸法に形成されているので、リーダ取付板６及びプレート取付板１１の取り付けられたリーダ本体２を内壁４０の取付孔４１内に挿入して、リーダ本体２とリーダ取付板６とを内壁４０の裏側に配置し、プレート取付板１１を何れかの方向に４５度だけ回転させると、各ねじ２０が取付孔４１の上下又は左右の端面と係止するため、リーダ本体２やリーダ取付板６が重みによって倒れたり、傾くことがなく、また各２個のねじ２０によって上下方向及び左右方向におけるリーダ取付板６の移動範囲が規制されるので、がたつきを防止することもできる。またリーダ取付板６の２本の対角線状には２個のねじ２０がそれぞれ取り付けられているので、リーダ本体２とリーダ取付板６とを内壁４０の裏側に配置した状態からプレート取付板１１を何れの方向に４５度回転させても、一対のねじ２０と取付孔４１の上下の端面とを係止させることができ、施工作業を容易に行える。
【００４５】
（実施形態１）
本発明の実施形態１を図２０乃至図２６を参照して説明する。基本構成で説明した非接触ＩＤリーダの取付構造では、間隔保持部材として筒状のスペーサ９を用いているが、本実施形態の非接触ＩＤリーダの取付構造では、間隔保持部材としてコイルばね２０を用いている。そして、リーダ本体２の貫通孔５内にリーダ取付板６と反対側から挿通したリーダ取付ねじ７をコイルばね２０に通し、リーダ取付板６に設けたねじ孔８’に螺入することにより、リーダ本体２とリーダ取付板６とを結合している。尚、コイルばね２０以外の構成は基本構成で説明した取付構造と同様であるので、同一の構成要素には同一の符号を付して、その説明を省略する。
【００４６】
ここで、コイルばね２０の自然長は、取付時の長さよりも長い寸法に設定されているので、コイルばね２０の組込時は、コイルばね２０を撓ませながら組込作業を行う。組立状態ではコイルばね２０に初期撓みを持たせているので、コイルばね２０のばね復帰力によってリーダ本体２がリーダ取付板６から遠ざかる向きに付勢されており、リーダ取付ねじ７のねじ込み量を調整することによって、リーダ本体２とリーダ取付板６との間の間隔を変化させることができる。
【００４７】
また、基本構成で説明した取付構造ではプレート取付板１１を略正方形の金属板で構成しているが、本実施形態では、図２５（ａ）（ｂ）に示すように、中央に矩形の窓孔２１ａを有する四角枠状の２つの取付枠２１を短幅方向に並べてプレート取付板１１を構成している。取付枠２１の長手方向において対向する２つの枠辺２１ｂには、プレート取付ねじ１４を挿通するためのねじ挿通孔１３と、プレート枠１６をねじ止めするためのねじ孔１５がそれぞれ形成されており、プレート枠１６の孔に通したプレート固定ねじ１７をねじ孔１５に螺入することによって、プレート枠１６が取付枠２１に取り付けられる。そして、プレート枠１６の室内側には例えばプレート枠１６に設けた孔（図示せず）と化粧プレート１８の背面に設けた突起（図示せず）とを嵌合させることにより化粧プレート１８が嵌合固定される。
【００４８】
この非接触ＩＤリーダを内壁４０に取り付ける取付方法について簡単に説明する。内壁４０には、リーダ本体２及びリーダ取付板６の外形寸法よりも大きく、且つ、取付枠２１を短幅方向に２つ並べた大きさよりも小さい断面略正方形の取付孔４１を穿孔してある。
【００４９】
先ず、リーダ取付ねじ７をリーダ本体２の貫通孔５内にリーダ取付板６と反対側から挿通し、貫通孔５から突出するリーダ取付ねじ７をコイルばね２０に通し、リーダ取付板６のねじ孔８’に螺入することによって、リーダ本体２とリーダ取付板６とを結合する。この時、リーダ本体２はコイルばね２０のばね力によってリーダ取付板６から離れる向きに付勢される（図２１（ａ）（ｂ）参照）。
【００５０】
次に、２つの取付枠２１にそれぞれ設けた各２個のねじ挿通孔１３にプレート取付ねじ１４を挿通し、プレート取付ねじ１４をリーダ取付板６のねじ孔１２にそれぞれねじ込むことによって、２つの取付枠２１がリーダ取付板６にそれぞれ結合される。ここで、プレート取付ねじ１４のねじ込み量を調整して、リーダ取付板６と取付枠２１との間の距離を内壁４０の厚み寸法よりも長くし、リーダ取付板６の各辺を取付孔４１の端面と略平行にした状態で、内壁４０の取付孔４１に室内側からリーダ本体２を挿入する。
【００５１】
リーダ本体２を外壁４２側に押し込むと、リーダ本体２の前面が外壁４２の裏面に取り付けられた断熱材４３と当接する。さらにリーダ本体２をコイルばね２０のばね力に抗して外壁４２側に押し込み、リーダ取付板６を内壁４０の裏側（すなわち内壁４０と外壁４２の間の空間）まで押し込んだ状態で、取付枠２１の各辺が取付孔４１の端面と略平行になるよう、２つの取付枠２１をリーダ取付板６の中心位置の回りに略４５度回転させると、取付枠２１のねじ挿通孔１３に挿通されたプレート取付ねじ１４が上下に並び、リーダ取付板６の角部が取付孔４１の投影面から外側に突出する。この時、コイルばね２０が撓められるため、コイルばね２０のばね力によってリーダ本体２が断熱材４３に押し付けられ、リーダ本体２の取付状態が安定する。また、コイルばね２０のばね力によりリーダ本体２及びリーダ取付板６がそれぞれ外壁４２及び内壁４０に押し付けられ、仮保持されるので、リーダ本体２の取り付け又は取り外しの際に、リーダ本体２及びリーダ取付板６を保持する必要がなく、取り付け及び取り外し作業を容易に行うことができる。
【００５２】
この状態で、プレート取付ねじ１４を締め付けると、リーダ取付板６から突出するリーダ取付ねじ７の先端と取付枠２１との間に内壁４０が挟持され、リーダ本体２が内壁４０に固定される。リーダ本体２の固定後、取付枠２１における室内側の面にプレート枠１６を介して化粧プレート１８が取り付けられる。尚、本実施形態では取付枠２１をリーダ取付板６の中心位置の回りに略４５度回転させているので、取付孔４１の投影面から外側に突出するリーダ取付板６の部位を大きくすることができ、リーダ取付板６と取付枠２１との間で内壁４０を強固に挟持することができる。
【００５３】
一方、非接触ＩＤリーダ１を内壁４０から取り外す際は上述と逆の手順により取り外される。すなわち、プレート枠１６と化粧プレート１８とを取り外した後、プレート取付ねじ１４を緩めると、リーダ取付板６と取付枠２１との間の距離が内壁４０の厚み寸法よりも長くなって、内壁４０の挟持状態が解除される。この状態で取付枠２１をリーダ取付板６の中心位置の回りに略４５度回転させて、リーダ取付板６の各辺を取付孔４１の端面と略平行にして、リーダ本体２及びリーダ取付板６の向きを取付孔４１の向きに合わせた後、取付枠２１を内壁４０から離れる向きに引っ張ると、リーダ本体２及びリーダ取付板６が内壁４０から室内側に引き出される。
【００５４】
ところで、リーダ本体２の前面から外壁４２までの距離をＬ２とすると、非接触ＩＤリーダ１の交信距離Ｌ１から距離Ｌ２を引いた距離Ｌ３（＝Ｌ１−Ｌ２）が見かけ上の交信距離になる。ここで、リーダ本体２の突台部３前面からリーダ取付板６までの距離が、外壁４２の裏面に取り付けられた断熱材４３からリーダ取付板６までの距離よりも長い場合、リーダ本体２とリーダ取付板６とを内壁４０の裏側に挿入すると、突台部３前面が断熱材４３に当接して、コイルばね２０が撓められるので、断熱材４３すなわち外壁４２にリーダ本体２が最も接近した状態でリーダ本体２を取り付けることができ、見かけ上の交信距離Ｌ３を伸ばすことができる。また、図２３（ａ）に示すように、内壁４０と外壁４２との間隔がリーダ取付ねじ７の長さと略同じか又は若干長い場合、コイルばね２０の撓み量が最も大きくなり（ばね長が最も短くなり）、リーダ本体２が外壁４２の裏面に押し付けられる。一方、図２３（ｂ）に示すように、内壁４０と外壁４２との間隔が広く、リーダ取付ねじ７のねじ頭がリーダ本体２と接触するまでコイルばね２０が伸びた場合、コイルばね２０のばね長は最も長くなり、この時リーダ本体２を外壁４２に押し付ける力は発生しない。
【００５５】
尚、リーダ取付ねじ７及びコイルばね２０の長さ寸法は内壁４０と外壁４２との間の壁内間隔Ｌ４に応じて適宜設定すれば良く、リーダ取付ねじ７及びコイルばね２０として長さの異なるものを複数種類用意しておき、所望の長さのリーダ取付ねじ７及びコイルばね２０を選択して使用することにより、外壁４２の裏面からリーダ本体２の前面までの距離を調整することができる。すなわち、図２４に示すように内壁４０と外壁４２との間の壁内間隔Ｌ４が長い場合は、リーダ取付ねじ７及びコイルばね２０に長さ寸法の長いものを選択して使用すれば良く、外壁４２の裏面からリーダ本体２の前面までの距離を短くして、見かけ上の交信距離Ｌ３を伸ばすことができる。
【００５６】
ところで、本実施形態ではリーダ本体２とリーダ取付板６とをリーダ取付ねじ７で結合しており、リーダ取付ねじ７の先端をリーダ取付板６から裏面側に突出させているが、図２７に示すように、リーダ取付ねじ７の先端がリーダ取付板６から裏面側に突出しないように、リーダ取付ねじ７のねじ込み量を調整しても良く、図２８に示すように、取付孔４１から外側に突出するリーダ取付板６の角部が内壁４０と面接触するので、リーダ取付板６と内壁４０とを密着させることができる。また、リーダ取付ねじ７の先端が内壁４０と当接する場合に比べて、リーダ取付板６とプレート取付板２１との間で内壁４０を挟持する際に内壁４０に加わる応力を分散させることができるから、内壁４０に長時間応力が加わることによって内壁４０が変形するのを防止できる。
【００５７】
（実施形態２）
本発明の実施形態２を図２９乃至図３１を参照して説明する。本実施形態では、実施形態１の非接触ＩＤリーダの取付構造において、リーダ取付板６を、略正八角形に形成された板状の主部６ａと、主部６ａの４辺からリーダ本体２側にそれぞれ突出する連結片６ｂと、連結片６ｂの先端縁から外側にそれぞれ突出する三角形の固定片６ｃとを連続一体に形成したような形状に形成しており、各固定片６ｃにリーダ取付ねじ７が螺合するねじ孔８’をそれぞれ形成している（図３０参照）。ここで、各固定片６ｃの主部６ａとの連結部位（段部）は、取付枠２１の各辺が取付孔４１の端面と略平行になるように取付枠２１を回転させた状態で、取付孔４１の端面と係止しており、各連結片６ｂから係止部が構成される。尚、リーダ取付板６以外の構成は実施形態１の非接触ＩＤリーダと同様であるので、同一の構成要素には同一の符号を付してその説明を省略する。
【００５８】
ここで、この非接触ＩＤリーダを内壁４０に取り付ける取付方法について簡単に説明する。内壁４０には、リーダ本体２及びリーダ取付板６の外形寸法よりも大きく、且つ、取付枠２１を短幅方向に２つ並べた大きさよりも小さい断面略正方形の取付孔４１を穿孔してある。
【００５９】
先ず、リーダ取付ねじ７をリーダ本体２の貫通孔５内にリーダ取付板６と反対側から挿通し、貫通孔５から突出するリーダ取付ねじ７をコイルばね２０に通し、リーダ取付板６のねじ孔８’に螺入することによって、リーダ本体２とリーダ取付板６とを結合する。この時、リーダ本体２はコイルばね２０のばね力によってリーダ取付板６から離れる向きに付勢される。
【００６０】
次に、２つの取付枠２１にそれぞれ設けた各２個のねじ挿通孔１３にプレート取付ねじ１４を挿通し、プレート取付ねじ１４をリーダ取付板６のねじ孔１２にそれぞれねじ込むことによって、２つの取付枠２１がリーダ取付板６にそれぞれ結合される。ここで、プレート取付ねじ１４のねじ込み量を調整して、リーダ取付板６の固定片６ｃと取付枠２１との間の距離を内壁４０の厚み寸法よりも大きくし、リーダ取付板６における固定片６ｃが形成された辺以外の辺を取付孔４１の端面と略平行にした状態で、内壁４０の取付孔４１に室内側からリーダ本体２を挿入する。
【００６１】
リーダ本体２を外壁４２側に押し込むと、リーダ本体２の前面が外壁４２の裏面に取り付けられた断熱材４３と当接する。さらにリーダ本体２をコイルばね２０のばね力に抗して外壁４２側に押し込み、リーダ取付板６を内壁４０の裏側（すなわち内壁４０と外壁４２の間の空間）まで押し込んだ状態で、取付枠２１の各辺が取付孔４１の端面と略平行になるよう、２つの取付枠２１をリーダ取付板６の中心位置の回りに略４５度回転させると、取付枠２１のねじ挿通孔１３に挿通されたプレート取付ねじ１４が上下に並び、リーダ取付板６の角部（すなわち固定片６ｃ）が取付孔４１の投影面から外側に突出する。この時、コイルばね２０が撓められるため、コイルばね２０のばね力によってリーダ本体２が断熱材４３に押し付けられ、リーダ本体２の取付状態が安定する。また、コイルばね２０のばね力によりリーダ本体２及びリーダ取付板６がそれぞれ外壁４２及び内壁４０に押し付けられ、仮保持されるので、リーダ本体２の取り付け又は取り外しの際に、リーダ本体２及びリーダ取付板６を保持する必要がなく、取り付け及び取り外し作業を容易に行うことができる。
【００６２】
この状態でプレート取付ねじ１４を締め付けると、リーダ取付板６から突出するリーダ取付ねじ７の先端と取付枠２１との間に内壁４０が挟持され、リーダ本体２が内壁４０に固定される。ここで、各固定片６ｃと主部６ａとの連結部位（連結片６ｂ）が取付孔４１の端面と当接するため、プレート取付ねじ１４を締め付けてリーダ本体２の固定作業を終了するまでの間に、リーダ本体２やリーダ取付板６が自重で取付孔４１から脱落するのを防止することができ、取付作業を容易に行える。
【００６３】
ところで、外壁４２の裏面にはグラスウール等の断熱材４３が取り付けられているため、リーダ本体２の突台部３は断熱材４３と当接し、断熱材４３の厚み分だけ見かけ上の交信距離が短くなるという問題がある。そこで、図３１に示すように取付孔４１に臨む外壁４２の部位に取り付けられた断熱材４３を切り取ることによって、リーダ本体２の突台部３を外壁４２の裏面と直接接触させた状態でリーダ本体２を取り付けることができ、断熱材４３の厚み分だけ見かけ上の交信距離を伸ばすことができる。
【００６４】
（実施形態３）
本発明の実施形態３を図３２乃至図３５を参照して説明する。本実施形態では、実施形態１の非接触ＩＤリーダの取付構造において、リーダ取付板６の中央に略正方形の開口孔６ｄを穿設すると共に、取付枠２１（すなわちプレート取付板１１）の各辺が取付孔４１の端面と略平行になるように取付枠２１を回転させた状態で取付孔４１の端面と係止する係止突片６ｅを開口孔６ｄの四隅に切り起こしにより形成している。
【００６５】
この非接触ＩＤリーダの取付方法について図３４（ａ）〜（ｅ）を参照して説明する。先ず、内壁４０にリーダ本体２及びリーダ取付板６の外形寸法よりも大きく、且つ、プレート枠１１の外形寸法よりも小さい断面略正方形の取付孔４１を穿孔する（図３４（ａ）参照）。
【００６６】
次に、リーダ本体２とリーダ取付板６とをリーダ取付ねじ７を用いて結合し、リーダ取付板６の各辺を取付孔４１の端面と略平行にした状態で、取付孔４１に室内側からリーダ本体２とリーダ取付板６とを挿入する（図３４（ｂ）参照）。
【００６７】
そして、リーダ本体２とリーダ取付板６とを内壁４０の裏側（すなわち内壁４０と外壁４２の間の空間）に配置し（図３４（ｃ）参照）、略４５度回転させた状態で、取付孔４１及びリーダ取付板６の開口孔６ｄを通して工具６０を挿入して、内壁４０と外壁４２との間に予め配線されたケーブル３０をリーダ本体２の接続端子（図示せず）に結線する（図３４（ｄ）参照）。次に、取付枠２１のねじ挿通孔１３に挿通したプレート取付ねじ１４をリーダ取付板６のねじ孔１２にねじ込み、リーダ取付板６と２つの取付枠２１とを結合して、リーダ取付板６と２つの取付枠２１との間で内壁４０を挟持することにより、リーダ本体２を内壁３０に固定した後、取付枠２１にプレート枠１６を介して化粧プレート１８を取り付ける（図３４（ｅ）参照）。
【００６８】
ところで、実施形態１の非接触ＩＤリーダでは、内壁４０と外壁４２との間に予め配線されたケーブル３０を取付孔４１から引き出して、リーダ本体２の接続端子に結線した後、リーダ本体２とリーダ取付板６とを取付孔４１内に挿入しているため、ケーブル３０を一端引き出した後、再び取付孔４１内に戻す作業が必要になる。それに対して、本実施形態ではリーダ取付板６に開口孔６ｄを設けており、この開口孔６ｄを通してケーブル３０をリーダ本体２に接続することができるので、リーダ本体２及びリーダ取付板６を壁内に取り付けた状態でケーブル３０の結線作業を行うことができ、ケーブル３０を取付孔４１から引き出した後、再び取付孔４１内に戻す作業が不要になるから、結線作業の作業性が向上する。また、化粧プレート１８を外すと、開口孔６ｄを通してケーブル３０の結線状態を確認することができるので、施工後の点検、修理作業を容易に行うことができる。
【００６９】
さらに、リーダ本体２とリーダ取付板６とを取付孔４１内に挿入して、内壁４０の裏側に配置した後、略４５度回転させると、リーダ取付板６の係止突片６ｅが取付孔４１の端面と当接するため、ケーブル３０の結線作業やリーダ本体２の固定作業が終了するまでの間に、リーダ本体２やリーダ取付板６が自重で取付孔４１から脱落するのを防止することができる。尚、本実施形態ではリーダ取付板６の中央に正方形状の開口孔６ｄを形成し、開口孔６ｄの４隅に係止突片６ｅを切り起こしによって形成しているが、リーダ取付板６及び開口孔６ｄの形状を上記の形状に限定する趣旨のものではなく、図３５に示すように、実施形態２で説明したリーダ取付板６において、リーダ取付板６の中央に円形の開口孔６ｆを形成しても良く、上述と同様の効果を得ることができる。
【００７０】
（実施形態４）
本発明の実施形態４を図３６乃至図３８を参照して説明する。本実施形態では、実施形態１の非接触ＩＤリーダの取付構造において、図３６（ａ）〜（ｃ）に示すようにリーダ本体２の側面にケーブル挿通用の切欠部２２を形成している。そして、図３８（ａ）（ｂ）に示すように切欠部２２が形成されたリーダ本体２の部位を覆うようにしてリーダ本体２の裏面にカバー２３を取り付け、リーダ本体２内にアンテナや回路部を収納した後、リーダ本体２内に封止樹脂２４を充填する。そして、封止樹脂２４を硬化させた後、カバー２３を取り外してリーダ本体２を形成する（図３９参照）。図３９中の斜線部は封止樹脂２４の充填部位を示している。尚、切欠部２２以外の構成は実施形態１の非接触ＩＤリーダの取付構造と同様であるので、同一の構成要素には同一の符号を付して、その説明を省略する。
【００７１】
この非接触ＩＤリーダの取付方法について図４０（ａ）〜（ｅ）を参照して簡単に説明する。先ず内壁４０に、リーダ本体２及びリーダ取付板６の外形寸法よりも大きく、且つ、プレート取付板１１の外形寸法よりも小さい断面略正方形の取付孔４１を穿孔して、内壁４０の裏側（すなわち内壁４０と外壁４２との間の空間）からケーブル３０を室内側に引き出す（図４０（ａ）参照）。
【００７２】
次に、リーダ本体２の貫通孔５に挿通されたリーダ取付ねじ７をコイルばね２０に通し、リーダ取付板６のねじ孔に螺入することにより、リーダ本体２とリーダ取付板６とを結合した状態で、取付孔４１から引き出されたケーブル３０をリーダ本体２に接続する（図４０（ｂ）参照）。
【００７３】
そして、リーダ本体２の切欠部２２内にケーブル３０を納め、リーダ取付板６の各辺を取付孔４１の端面と略平行にした状態で、取付孔４１内に室内側からリーダ本体２とリーダ取付板６とを挿入する（図４０（ｃ）参照）。その後、リーダ本体２とリーダ取付板６とを内壁４０の裏側（すなわち内壁４０と外壁４２の間の空間）に配置し（図４０（ｄ）参照）、略４５度回転させてリーダ取付板６の角部を取付孔４１の投影面内から突出させた状態で、取付枠２１のねじ挿通孔１３に挿通したプレート取付ねじ１４をリーダ取付板６のねじ孔１２にねじ込み、リーダ取付板６と２つの取付枠２１とを結合して、リーダ取付板６と２つの取付枠２１との間で内壁４０を挟持することにより、リーダ本体２を内壁３０に固定した後、取付枠２１にプレート枠１６を介して化粧プレート１８を取り付ける（図４０（ｅ）参照）。
【００７４】
ところで、実施形態１の非接触ＩＤリーダでは、内壁４０と外壁４２との間に予め配線されたケーブル３０を取付孔４１から引き出して、リーダ本体２の接続端子に結線した後、リーダ本体２とリーダ取付板６とを取付孔４１内に挿入しているが、リーダ本体２にケーブル挿通用の切欠部が設けられていないため、リーダ本体２の周面と取付孔４１の端面との間にケーブル３０を通す隙間を設ける必要があり、取付孔４１の大きさを大きくする必要があった。それに対して、本実施形態ではリーダ本体２の周面に切欠部２２を形成し、この切欠部２２にケーブル３０を納めた状態で（図３７参照）、リーダ本体２とリーダ取付板６とを取付孔４１内に挿入しているため、リーダ本体２の周面と取付孔４１の端面との間にケーブル３０を通すための隙間を確保する必要が無く、取付孔４１の大きさを小さくできる。
【００７５】
ところで、本実施形態ではケース本体２の一側面にケーブル挿通部としての切欠部２２を形成しているが、ケーブル挿通部の形状を上記の形状に限定する趣旨のものではなく、図４１（ａ）〜（ｃ）に示すようにケース本体２の前面における突台部３以外の部位にケース本体２を貫通する長孔２５を形成しても良く、長孔２５内に通したケーブル３０をリーダ本体２に接続した後、リーダ本体２とリーダ取付板６とを取付孔４１内に挿入するようにすれば、リーダ本体２の周面と取付孔４１との間の隙間が狭い場合でも、施工作業を容易に行うことができる。このリーダ本体２を組み立てる際は、図４２（ａ）（ｂ）に示すように長孔２５が形成されたリーダ本体２の部位を覆うようにしてリーダ本体２の裏面にカバー２３を取り付け、リーダ本体２内にアンテナや回路部を収納した後、図４３に示すようにリーダ本体２内に封止樹脂２４を充填する。そして、封止樹脂２４を硬化させた後、カバー２３を取り外してリーダ本体２を形成する（図４３参照）。尚、図４３中の斜線部は封止樹脂２４の充填部位を示している。
【００７６】
（実施形態５）
本実施形態では、上述した実施形態１〜４及び基本構成で説明した非接触ＩＤリーダ１を用いる電気錠システムについて図４４を参照して説明する。この電気錠システムは、内壁４０に穿孔した取付孔４１内に挿入され、内壁４０と外壁４２との間の空間に配設される非接触ＩＤリーダ１と、建物の居住者などが所持するタグ５０と、非接触ＩＤリーダ１に電源を供給する電源部５１と、出入口などの扉に取り付けられた電気錠５２と、非接触ＩＤリーダ１から入力される信号に応じて電気錠５２の開閉を制御する制御部５３とで構成される。尚、非接触ＩＤリーダ１の構成は実施形態１〜４及び基本構成で説明したものと同様であるので、その説明は省略する。
【００７７】
非接触ＩＤリーダ１は建物の出入口付近の壁内に設置されており、この建物に出入りする人がタグ５０を非接触ＩＤリーダ１に近づけると、タグ５０と非接触ＩＤリーダ１との間で電磁誘導により非接触でデータ通信が行われ、タグ５０に記憶されたＩＤデータが非接触ＩＤリーダ１によって読み取られる。制御部５３は、非接触ＩＤリーダ１が読み取ったタグ５０のＩＤデータを、予め登録されているＩＤデータと照合し、両者が一致した場合は電気錠５２に解錠信号又は施錠信号を出力して、電気錠５２を解錠又は施錠させている。
【００７８】
本実施形態の電気錠システムでは、実施形態１〜４及び基本構成で説明した非接触ＩＤリーダ１を用いており、非接触ＩＤリーダ１は内壁４０に設けた取付孔４１内に取り付けられ、内壁４０と外壁４２との間の空間に配置されているので、非接触ＩＤリーダ１の取付作業を容易に行うことができる。
【００７９】
【発明の効果】
上述のように、請求項１の発明は、内部にデータを記憶するメモリを備えたタグとの間で電磁誘導により相互にデータ通信を行う非接触ＩＤリーダを、造営材に設けた断面矩形状の取付孔に取り付けるための非接触ＩＤリーダの取付構造において、外形寸法が取付孔よりも小さい寸法に形成され、タグとの間で電磁誘導により相互にデータ通信を行うためのアンテナや回路部を収納したリーダ本体と、矩形板状であって取付孔よりも若干小さい寸法に形成され、リーダ本体の背面にリーダ本体との間隔を保持するための間隔保持部材を介してねじ止めされたリーダ取付板と、矩形板状であって少なくとも長手方向寸法が取付孔よりも大きい寸法に形成され、リーダ取付板に対して略平行で且つ各辺がリーダ取付板の各辺に対して略４５度の角度で交差するような状態でリーダ取付板の背面側に取り付けられるプレート取付板と、プレート取付板に設けた挿通孔に挿通されると共にリーダ取付板に設けたねじ孔に螺入されるプレート取付ねじとを備え、上記造営材は建物の外壁の内側に設けられた内壁であり、この内壁に設けた取付孔内にリーダ本体が挿入されており、上記間隔保持部材はリーダ本体をリーダ取付板と反対側に付勢するばね部材からなり、リーダ本体が外壁と当接し且つばね部材が撓められた状態でリーダ本体が取り付けられるようにばね部材の長さ寸法を設定し、リーダ本体と共に造営材の一側から取付孔内に挿入されて造営材の反対側に配置されたリーダ取付板と、リーダ取付板を造営材の反対側に配置した状態で各辺が取付孔の端面と略平行になるように略４５度回転されたプレート取付板との間で造営材を挟持することを特徴とし、建物の外壁と内壁との間に非接触ＩＤリーダを取り付ける場合でも、内壁に設けた取付孔に室内側からリーダ本体とリーダ取付板とを挿入して、リーダ本体とリーダ取付板とを内壁と外壁との間の空間に配置し、プレート取付板の各辺が取付孔の端面と略平行になるようにプレート取付板を略４５度回転させた状態で、プレート取付ねじのねじ込み量を調整すると、リーダ取付板とプレート取付板との間に内壁を挟持することにより、リーダ本体が内壁に取り付けられるから、外壁の工事を行うことなく、外壁と内壁との間の空間に室内側から非接触ＩＤリーダを取付可能で、外壁の美観を損なうことのない取付構造を実現できるという効果がある。
【００８０】
さらに請求項１の発明では、リーダ本体は、ばね部材によってリーダ取付板と反対側に付勢され、ばね部材が撓められた状態で外壁と当接しており、ばね部材のばね力によって常に外壁に押し付けられた状態で取り付けられているから、取付状態が安定するという効果がある。しかも、リーダ本体が外壁と接触しているので、外壁とリーダ本体との間隔を最小にでき、タグとリーダ本体との間で交信可能な外壁からの距離を長くとることができるという効果がある。
【００８１】
請求項２の発明は、請求項１の発明において、プレート取付ねじとして長さの異なるものを複数種類用意し、何れかのねじを選択して使用することを特徴とし、造営材の厚み寸法に応じてプレート取付ねじの長さを適宜選択することにより、様々な厚みの造営材に対応することができるという効果がある。
【００８２】
請求項３の発明は、請求項１又は２の発明において、リーダ本体とリーダ取付板とを結合するリーダ取付ねじとプレート取付ねじのねじ径及びピッチが同じであることを特徴とし、リーダ取付ねじとプレート取付ねじのねじ径及びピッチを共通化することによって、必要なねじの種類を削減できるという効果がある。
【００８３】
請求項４の発明は、請求項１乃至３の何れかの発明において、リーダ取付板におけるプレート取付板側の面に、プレート取付板の各辺が取付孔の端面と略平行になるようにプレート取付板を回転させた状態で、取付孔の端面と係止する係止部を設けたことを特徴とし、係止部と取付孔の端面とを係止させることによって、リーダ取付板が造営材に対して傾いたり、倒れたりするのを防止でき、取付作業を容易に行えるという効果がある。
【００８４】
請求項５の発明は、請求項４の発明において、係止部は、リーダ取付板に設けたねじ孔に取り付けたねじ部材であることを特徴とし、リーダ取付板にねじ孔を設けるだけで良いから、リーダ取付板の構造を簡単にでき、リーダ取付板の製造コストを低減できるという効果がある。
【００８５】
請求項６の発明は、請求項４の発明において、係止部は、リーダ取付板の中心に対して対角の位置に２個設けられたことを特徴とし、２個の係止部が取付孔の端面とそれぞれ係止することによってリーダ取付板の移動範囲が規制されるから、リーダ本体のがたつきを防止でき、リーダ本体の取付不良を防止できるという効果がある。
【００８６】
請求項７の発明は、請求項４の発明において、係止部は、リーダ取付板の２本の対角線上に、リーダ取付板の中心に対して対角の位置に２個づつ設けられたことを特徴とし、リーダ本体及びリーダ取付板を取付孔内に挿入した状態で、プレート取付板を何れの方向に略４５度回転させたとしても、２個の係止部を取付孔の上下の端面と係止させることができるから、施工作業を容易に行えるという効果がある。
【００８７】
請求項８の発明は、請求項４の発明において、リーダ取付板におけるプレート取付板側の面に、プレート取付板の各辺が取付孔の端面と略平行になるようにプレート取付板を回転させた状態で取付孔の端面と当接する段部を設け、該段部により係止部を構成したことを特徴とし、プレート取付板に設けた段部と取付孔の端面とを係止させることによって、リーダ取付板が造営材に対して傾いたり、倒れたりするのを防止でき、取付作業を容易に行えるという効果がある。しかも、リーダ取付板に設けた段部により係止部を構成しているので、リーダ取付板に別途の部材を組み込む必要がなく、リーダ取付板と係止部とを１つの部材で構成することができるという効果がある。
【００８８】
請求項９の発明は、請求項１乃至８の何れかの発明において、リーダ本体とリーダ取付板とを結合するリーダ取付ねじのねじ部先端を、リーダ取付板に設けたねじ孔の途中で止めたことを特徴とし、リーダ取付板におけるリーダ本体と反対側の面から、リーダ取付ねじのねじ部先端が突出していないので、造営材の表面とリーダ取付板とが面接触し、リーダ取付板とプレート取付板との間で造営材を挟持する際に造営材に加わる応力を分散させることができるから、造営材に長時間応力が加わることによって造営材が変形するのを防止できるという効果がある。
【００８９】
請求項１０の発明は、請求項１乃至９の何れかの発明において、リーダ本体及びリーダ取付板を造営面の反対側に配置した状態で、造営面の反対側に予め配線されたケーブルをリーダ本体に接続する結線作業を行うための開口孔をリーダ取付板に設けたことを特徴とし、リーダ本体とリーダ取付板とを造営面の反対側に配置した状態で、開口孔を通してケーブルをケーブル本体に接続することができ、ケーブルを結線していない状態でリーダ本体やリーダ取付板の施工作業が行えるから、ケーブルが施工作業の邪魔にならず、施工作業を容易にした非接触ＩＤリーダの取付構造を実現できるという効果がある。
【００９０】
請求項１１の発明は、請求項１乃至９の何れかの発明において、造営面の反対側から引き出されたケーブルを通すためのケーブル挿通部をリーダ本体に設けたことを特徴とし、取付孔を介して引き出されたケーブルをリーダ本体に接続し、このケーブルをケーブル挿通部に通した状態で、リーダ本体やリーダ取付板を取付孔内に挿入して施工作業を行うことができるから、取付孔の端面とリーダ本体との間の隙間が狭い場合でも容易に施工作業が行える非接触ＩＤリーダの取付構造を実現できるという効果がある。
【００９１】
請求項１２の発明は、請求項１乃至１１の何れかの発明において、プレート取付板の背面側にねじ固定される矩形枠状のプレート枠と、プレート枠に嵌合固定される化粧プレートとを備えて成ることを特徴とし、プレート取付板の背面側にプレート枠を介して化粧プレートを取り付けることができるから、室内のインテリアに合わせたデザインの化粧プレートを取り付けることにより、室内の美観を高めることができるという効果がある。
【００９２】
請求項１３の発明は、請求項１乃至１２の何れかの発明において、上記造営材は建物の外壁の内側に設けられた内壁であり、建物の出入口付近の内壁に設けた取付孔内にリーダ本体が挿入され、内壁と外壁との間の空間に取り付けられることを特徴とし、請求項１乃至１２の発明と同様、外壁の工事を行うことなく、外壁と内壁との間の空間に室内側から非接触ＩＤリーダを取り付けることができるから、外壁の美観を保つことができ、且つ、リーダ本体は外壁の裏側に配置されているから、リーダ本体が破壊されるなどのいたずらを防止でき、また部外者にはリーダ本体の存在が分からないため、防犯上の安全性が高いという効果がある。
【００９３】
請求項１４の発明は、請求項１記載の非接触ＩＤリーダを造営材から取り外す取り外し方法において、先ずプレート取付ねじを緩めて、プレート取付板とリーダ取付板との間の距離を造営材の厚み寸法よりも長くした状態で、プレート取付板を略４５度回転させて、リーダ取付板の各辺を取付孔の端面と略平行にした後、プレート取付板を造営材から離れる方向に移動させて、リーダ本体及びリーダ取付板を取付孔から取り出すことを特徴とし、プレート取付ねじを緩めることによって、プレート取付板とリーダ取付板との間で造営材を挟持する状態を容易に解除することができ、その後プレート取付板を回転させて、造営材から離れる方向に移動させることにより、リーダ本体とリーダ取付板とを造営材から容易に取り外すことができ、リーダ本体の修理や解体などのメンテナンス作業を容易に行うことができるという効果がある。
【００９４】
請求項１５の発明は、請求項１記載の非接触ＩＤリーダを造営材に取り付ける取付方法において、リーダ本体に設けた貫通孔に挿通されたリーダ取付ねじにばね部材を通し、リーダ取付板に設けたねじ孔に螺入することにより、リーダ本体をリーダ取付板にねじ止めすると共に、プレート取付板をプレート取付ねじを用いてリーダ取付板にねじ止めし、ばね部材によってリーダ本体をリーダ取付板と反対側に付勢し、リーダ取付板とプレート取付板との間の間隔を造営材の厚み寸法よりも長くした状態で、リーダ取付板の各辺を取付孔の端面と略平行にして、リーダ本体とリーダ取付板とを造営材の一側から取付孔内に挿入し、リーダ本体とリーダ取付板とを造営材の反対側に配置した後、プレート取付板を略４５度回転させて、プレート取付板の各辺を取付孔の端面と略平行に配置し、プレート取付ねじをねじ込んでプレート取付板とリーダ取付板との間で造営材を挟持することにより、リーダ本体を造営材に取り付けることを特徴とし、リーダ本体は、ばね部材によってリーダ取付板と反対側に付勢され、ばね部材が撓められた状態で外壁と当接しており、ばね部材のばね力によって常に外壁に押し付けられた状態で取り付けられているから、リーダ本体及びリーダ取付板が外壁と内壁との間に仮保持され、取付作業を容易に行えるという効果がある。
【００９５】
請求項１６の発明は、請求項１０記載の非接触ＩＤリーダを造営材に取り付ける取付方法において、先ずリーダ本体にリーダ取付板を取り付け、リーダ取付板の各辺を取付孔の端面と略平行にして、リーダ本体とリーダ取付板とを造営材の一側から取付孔内に挿入し、リーダ本体とリーダ取付板とを造営材の反対側に配置した状態で、造営面の反対側に予め配線されたケーブルをリーダ本体に接続する結線作業を開口孔を通して行った後、リーダ取付板にプレート取付板を取り付け、プレート取付板を略４５度回転させて、プレート取付板の各辺を取付孔の端面と略平行に配置し、プレート取付ねじをねじ込んでプレート取付板とリーダ取付板との間で造営材を挟持することにより、リーダ本体を造営材に取り付けることを特徴とし、リーダ本体とリーダ取付板とを造営面の反対側に配置した状態で、開口孔を通してケーブルをケーブル本体に接続することができ、ケーブルを結線していない状態でリーダ本体やリーダ取付板の施工作業が行えるから、ケーブルが作業の邪魔にならず、施工作業を容易に行えるという効果がある。
【００９６】
請求項１７の発明は、請求項１１記載の非接触ＩＤリーダを造営材に取り付ける取付方法において、先ずリーダ本体にリーダ取付板とプレート取付板とを取り付け、リーダ取付板とプレート取付板との間の間隔を造営材の厚み寸法よりも長くし、造営面の反対側から取付孔を通して引き出されたケーブルをリーダ本体に結線し、このケーブルをリーダ本体のケーブル挿通部に通した状態で、リーダ取付板の各辺を取付孔の端面と略平行にして、リーダ本体とリーダ取付板とを造営材の一側から取付孔内に挿入し、リーダ本体とリーダ取付板とを造営材の反対側に配置した後、プレート取付板を略４５度回転させて、プレート取付板の各辺を取付孔の端面と略平行に配置し、プレート取付ねじをねじ込んでプレート取付板とリーダ取付板との間で造営材を挟持することにより、リーダ本体を造営材に取り付けることを特徴とし、取付孔を介して引き出されたケーブルをリーダ本体に接続し、このケーブルをケーブル挿通部に通した状態で、リーダ本体やリーダ取付板を取付孔内に挿入して施工作業を行うことができるから、取付孔の端面とリーダ本体との間の隙間が狭い場合でも施工作業を容易に行えるという効果がある。
【００９７】
請求項１８の発明は、請求項１１記載の非接触ＩＤリーダの製造方法であって、リーダ本体にケーブル挿通部を形成し、ケーブル挿通部の形成されたリーダ本体の部位をカバーで覆った後、リーダ本体の内部に封止樹脂を充填して、リーダ本体内部に配置されたアンテナと回路部とを封止樹脂で封止した後、カバーを取り外して成ることを特徴とし、リーダ本体に設けたケーブル挿通部には封止樹脂が回り込まないようにする必要があるが、ケーブル挿通部の形成されたリーダ本体の部位をカバーで覆った状態で封止樹脂を充填することによって、ケーブル挿通部に封止樹脂が回り込むのを防止でき、必要な部位のみに封止樹脂を充填できるという効果がある。
【００９８】
請求項１９の発明は、請求項１記載の非接触ＩＤリーダと、出入口のドアに設けられた電気錠と、非接触ＩＤリーダがタグから受信した情報に基づいて電気錠の施錠／開錠を制御する電気錠制御部とを備えて成ることを特徴とし、請求項１記載の非接触ＩＤリーダを用いて、出入口のドアに設けられた電気錠を電気錠制御部により施錠／解錠する電気錠システムを実現できるという効果がある。
【図面の簡単な説明】
【図１】  本発明に係る非接触ＩＤリーダの取付構造の基本構成を説明する断面図である。
【図２】  同上の非接触ＩＤリーダにリーダ取付板を取り付けた状態を前面側から見た斜視図である。
【図３】  同上の非接触ＩＤリーダの正面図である。
【図４】  （ａ）〜（ｅ）は同上の非接触ＩＤリーダの取付方法及び取り外し方法を説明する説明図である。
【図５】  同上の非接触ＩＤリーダの取付方法を説明する説明図である。
【図６】  同上のプレート取付板を示し、（ａ）は正面図、（ｂ）は側面図である。
【図７】  同上のプレート取付板に化粧プレートを取り付ける方法を説明する説明図である。
【図８】  同上の別の非接触ＩＤリーダの取付構造を説明する断面図である。
【図９】  同上のまた別の非接触ＩＤリーダの取付構造を説明する断面図である。
【図１０】  同上のさらに別の非接触ＩＤリーダの取付構造を説明する断面図である。
【図１１】  （ａ），（ｂ）は同上の非接触ＩＤリーダの取付方法を説明する説明図である。
【図１２】  同上の非接触ＩＤリーダの取付構造を説明する断面図である。
【図１３】  同上の参考例を説明する断面図である。
【図１４】  同上のリーダ取付板を示し、（ａ）は正面図、（ｂ）は側面図である。
【図１５】  同上の別のリーダ取付板を示し、（ａ）は正面図、（ｂ）は側面図である。
【図１６】  同上のまた別のリーダ取付板を示し、（ａ）は正面図、（ｂ）は側面図である。
【図１７】  同上の非接触ＩＤリーダの取付構造を説明する断面図である。
【図１８】  同上のさらに別のリーダ取付板と内壁に設けた取付孔との位置関係を示し、（ａ）は裏側から見た図、（ｂ）は側方から見た断面図である。
【図１９】  同上の非接触ＩＤリーダの取付構造を説明する断面図である。
【図２０】  実施形態１の非接触ＩＤリーダの取付構造を説明する断面図である。
【図２１】  同上のリーダ本体とリーダ本体とを示し、（ａ）は組立前の側面図、（ｂ）は組立後の状態を示す側面図である。
【図２２】  同上の取付方法を説明する説明図である。
【図２３】  （ａ）（ｂ）は同上の取付状態を説明する一部省略せる断面図である。
【図２４】  同上の別の取付状態を説明する断面図である。
【図２５】  同上に用いるプレート取付板を示し、（ａ）は正面図、（ｂ）は側面図である。
【図２６】  同上のプレート取付板に化粧プレートを取り付ける方法を説明する説明図である。
【図２７】  同上の別の取付状態を説明する断面図である。
【図２８】  同上に用いるリーダ取付板の取付状態を説明する説明図である。
【図２９】  実施形態２の非接触ＩＤリーダの取付構造を説明する断面図である。
【図３０】  同上に用いるリーダ取付板の外観斜視図である。
【図３１】  同上の別の取付状態を説明する断面図である。
【図３２】  実施形態３の非接触ＩＤリーダの取付構造を説明する一部省略せる外観斜視図である。
【図３３】  同上に用いるリーダ取付板を示し、（ａ）は正面図、（ｂ）は側面図である。
【図３４】  （ａ）〜（ｅ）は同上の取付方法を説明する説明図である。
【図３５】  同上に用いる別のリーダ取付板を示し、（ａ）は正面図、（ｂ）は側面図である。
【図３６】  実施形態４の非接触ＩＤリーダのケース本体を示し、（ａ）は正面図、（ｂ）は側面図、（ｃ）は裏面図である。
【図３７】  同上のケース本体を内壁に設けた取付孔内に挿入した状態を示す説明図である。
【図３８】  同上のケース本体にカバーを取り付けた状態を示し、（ａ）は裏面図、（ｂ）は側面図である。
【図３９】  同上のケース本体に封止樹脂を充填した状態を示す裏面図である。
【図４０】  （ａ）〜（ｅ）は同上の組立方法を説明する説明図である。
【図４１】  同上の別のケース本体を示し、（ａ）は正面図、（ｂ）は側面図、（ｃ）は裏面図である。
【図４２】  同上のケース本体にカバーを取り付けた状態を示し、（ａ）は裏面図、（ｂ）は側面図である。
【図４３】  同上のケース本体に封止樹脂を充填した状態を示す裏面図である。
【図４４】  実施形態５の電気錠システムの概略構成図である。
【図４５】  従来の非接触ＩＤリーダの取付構造を説明する分解斜視図である。
【図４６】  同上の断面図である。
【図４７】  従来の非接触ＩＤリーダの別の取付構造を示し、（ａ）は正面図、（ｂ）は側面図である。
【符号の説明】
２  リーダ本体
６  リーダ取付板
９  スペーサ
１１  プレート取付板
４０  内壁
４１  取付孔
【図１】
0004345219.tif 000002
【図２】
0004345219.tif 000003
【図３】
0004345219.tif 000004
【図４】
0004345219.tif 000005
【図５】
0004345219.tif 000006
【図６】
0004345219.tif 000007
【図７】
0004345219.tif 000008
【図８】
0004345219.tif 000009
【図９】
0004345219.tif 000010
【図１０】
0004345219.tif 000011
【図１１】
0004345219.tif 000012
【図１２】
0004345219.tif 000013
【図１３】
0004345219.tif 000014
【図１４】
0004345219.tif 000015
【図１５】
0004345219.tif 000016
【図１６】
0004345219.tif 000017
【図１７】
0004345219.tif 000018
【図１８】
0004345219.tif 000019
【図１９】
0004345219.tif 000020
【図２０】
0004345219.tif 000021
【図２１】
0004345219.tif 000022
【図２２】
0004345219.tif 000023
【図２３】
0004345219.tif 000024
【図２４】
0004345219.tif 000025
【図２５】
0004345219.tif 000026
【図２６】
0004345219.tif 000027
【図２７】
0004345219.tif 000028
【図２８】
0004345219.tif 000029
【図２９】
0004345219.tif 000030
【図３０】
0004345219.tif 000031
【図３１】
0004345219.tif 000032
【図３２】
0004345219.tif 000033
【図３３】
0004345219.tif 000034
【図３４】
0004345219.tif 000035
【図３５】
0004345219.tif 000036
【図３６】
0004345219.tif 000037
【図３７】
0004345219.tif 000038
【図３８】
0004345219.tif 000039
【図３９】
0004345219.tif 000040
【図４０】
0004345219.tif 000041
【図４１】
0004345219.tif 000042
【図４２】
0004345219.tif 000043
【図４３】
0004345219.tif 000044
【図４４】
0004345219.tif 000045
【図４５】
0004345219.tif 000046
【図４６】
0004345219.tif 000047
【図４７】
0004345219.tif 000048